(57)【要約】【課題】体格の大型化を招くことなく、冷凍サイクルの負荷変動によらず高いノズル効率および高い昇圧性能を発揮可能なエジェクタを提供する。【解決手段】冷媒を旋回させる旋回空間から流出した冷媒を減圧させる減圧用空間、外部から冷媒を吸引する吸引用通路、および減圧用空間から噴射された噴射冷媒と吸引用通路から吸引された吸引冷媒とを混合させる昇圧用空間が形成されたボデー３０と、ボデー３０の内部に配置される円錐状の通路形成部材３５と、ボデー３０を構成する部材のうち減圧用空間を形成するノズルボデー３２を変位させる駆動手段３７とを備え、減圧用空間内の通路形成部材３５の外周側にノズル通路１３ａを形成し、昇圧用空間内の通路形成部材３５の外周側にディフューザ通路１３ｃを形成し、駆動手段３７とノズルボデー３２とを連結する作動棒３８を、ディフューザ通路１３ｃを横切らないように配置する。【選択図】図３
2014134196.tif 000002
【特許請求の範囲】
【請求項１】
蒸気圧縮式の冷凍サイクル装置（１０）に適用されるエジェクタであって、
冷媒流入口（３１ａ）から流入した冷媒を旋回させる旋回空間（３０ａ）、前記旋回空間（３０ａ）から流出した冷媒を減圧させる減圧用空間（３０ｂ）、前記減圧用空間（３０ｂ）の冷媒流れ下流側に連通して外部から冷媒を吸引する吸引用通路（１３ｂ）、前記減圧用空間（３０ｂ）から噴射された噴射冷媒と前記吸引用通路（１３ｂ）から吸引された吸引冷媒とを混合させる昇圧用空間（３０ｅ）が形成されたボデー（３０）と、
少なくとも一部が前記減圧用空間（３０ｂ）の内部および前記昇圧用空間（３０ｅ）の内部に配置されるとともに、前記減圧用空間（３０ｂ）から離れるに伴って断面積が拡大する円錐状に形成された通路形成部材（３５）とを備え、
前記ボデー（３０）は、少なくとも前記減圧用空間（３０ｂ）を形成するノズルボデー（３２）を含む複数の部材を組み合わせることによって構成されており、
前記ノズルボデー（３２）のうち前記減圧用空間（３０ｂ）を形成する部位の内周面と前記通路形成部材（３５）の外周面との間に形成される冷媒通路は、前記旋回空間（３０ａ）から流出した冷媒を減圧させて噴射するノズルとして機能するノズル通路（１３ａ）であり、
前記ボデー（３０）のうち前記昇圧用空間（３０ｅ）を形成する部位の内周面と前記通路形成部材（３５）の外周面との間に形成される冷媒通路は、前記噴射冷媒および前記吸引冷媒との混合冷媒を昇圧させるディフューザとして機能するディフューザ通路（１３ｃ）であり、
前記ディフューザ通路（１３ｃ）は、前記通路形成部材（３５）の軸方向に垂直な断面における断面形状が環状に形成されており、
さらに、前記ノズルボデー（３２）を変位させて、前記ノズル通路（１３ａ）の冷媒通路面積を変化させる駆動手段（３７）を備えることを特徴とするエジェクタ。
【請求項２】
前記駆動手段（３７）は、前記通路形成部材（３５）の外周側に配置されていることを特徴とする請求項１に記載のエジェクタ。
【請求項３】
前記駆動手段（３７）が前記ノズルボデー（３２）を変位させるために生じさせる駆動力は、前記通路形成部材（３５）の軸方向のうち頂部側へ伝達されることを特徴とする請求項２に記載のエジェクタ。
【請求項４】
前記駆動手段（３７）は、温度変化に伴って圧力変化する感温媒体が封入された封入空間（３７ｂ）および前記封入空間（３７ｂ）内の前記感温媒体の圧力に応じて変位する圧力応動部材（３７ａ）を有して構成されていることを特徴とする請求項１ないし３のいずれか１つに記載のエジェクタ。
【請求項５】
さらに、前記駆動手段（３７）と前記ノズルボデー（３２）とを連結する連結部材（３８）を備え、
前記連結部材（３８）は、前記ディフューザ通路（１３ｃ）を横切ることなく配置されていることを特徴とする請求項１ないし４のいずれか１つに記載のエジェクタ。
【請求項６】
さらに、前記駆動手段（３７）と前記ノズルボデー（３２）とを連結する連結部材（３８）を備え、
前記連結部材（３８）は、前記ディフューザ通路（１３ｃ）の外部に配置されていることを特徴とする請求項１ないし４のいずれか１つに記載のエジェクタ。
【請求項７】
前記ボデー（３０）には、前記昇圧用空間（３０ｅ）から流出した冷媒の気液を分離する気液分離空間（３０ｆ）が形成されていることを特徴とする請求項１ないし６のいずれか１つに記載のエジェクタ。
【請求項８】
前記ディフューザ通路（１３ｃ）を流通する冷媒は、前記通路形成部材（３５）の軸周りに旋回していることを特徴とする請求項１ないし７のいずれか１つに記載のエジェクタ。
【発明の詳細な説明】
【技術分野】
【０００１】
本発明は、流体を減圧させるとともに、高速度で噴射される噴射流体の吸引作用によって流体を吸引するエジェクタに関する。
【背景技術】
【０００２】
従来、蒸気圧縮式の冷凍サイクル装置に適用される減圧装置として、エジェクタが知られている。この種のエジェクタでは、冷媒を減圧させるノズル部を有し、このノズル部から噴射される噴射冷媒の吸引作用によって蒸発器から流出した気相冷媒を吸引し、昇圧部（ディフューザ部）にて噴射冷媒と吸引冷媒とを混合して昇圧させることができる。
【０００３】
従って、減圧装置としてエジェクタを備える冷凍サイクル装置（以下、エジェクタ式冷凍サイクルと記載する。）では、エジェクタの昇圧部における冷媒昇圧作用を利用して圧縮機の消費動力を低減させることができ、減圧装置として膨張弁等を備える通常の冷凍サイクル装置よりもサイクルの成績係数（ＣＯＰ）を向上させることができる。
【０００４】
さらに、特許文献１には、エジェクタ式冷凍サイクルに適用されるエジェクタとして、冷媒を二段階に減圧させるノズル部を有するものが開示されている。より詳細には、この特許文献１のエジェクタでは、第１ノズルにて高圧液相状態の冷媒を気液二相状態となるまで減圧し、気液二相状態となった冷媒を第２ノズルへ流入させている。
【０００５】
これにより、特許文献１のエジェクタでは、第２ノズルにおける冷媒の沸騰を促進してノズル部全体としてのノズル効率の向上を図り、エジェクタ式冷凍サイクル全体として、より一層のＣＯＰの向上を図ろうとしている。
【０００６】
また、一般的なエジェクタでは、ノズル部の軸線方向の延長線上にディフューザ部（昇圧部）が同軸上に配置されている。さらに、特許文献２には、このように配置されたディフューザ部の広がり角度を比較的小さくすることで、エジェクタ効率を向上できることが記載されている。
【０００７】
なお、ノズル効率とは、ノズル部において冷媒の圧力エネルギを運動エネルギに変換する際のエネルギ変換効率であり、エジェクタ効率は、エジェクタ全体としてのエネルギ変換効率である。
【先行技術文献】
【特許文献】
【０００８】
【特許文献１】特許第３３３１６０４号公報
【特許文献２】特開２００３−１４３１８号公報
【発明の概要】
【発明が解決しようとする課題】
【０００９】
ところが、特許文献１のエジェクタでは、例えば、エジェクタ式冷凍サイクルの熱負荷が低くなり、サイクルの高圧側冷媒の圧力と低圧側冷媒の圧力との圧力差（高低圧差）が縮小してしまうと、第１ノズルにて高低圧差分の減圧がなされてしまい、第２ノズルでは殆ど冷媒が減圧されなくなってしまうことがある。このような場合、第２ノズルへ気液二相冷媒を流入させることによるノズル効率向上効果を得られなくなってしまい、ディフューザ部にて冷媒を充分に昇圧させることができなくなってしまうことがある。
【００１０】
これに対して、特許文献１のエジェクタに特許文献２に開示されている比較的小さい広がり角度のディフューザ部を適用し、エジェクタ効率を向上させることによって、エジェクタ式冷凍サイクルの低負荷時にもディフューザ部にて冷媒を充分に昇圧させる手段が考えられる。しかし、このようなディフューザ部を適用すると、エジェクタ全体としてノズル部の軸線方向の長さが長くなってしまうので、エジェクタ式冷凍サイクルの通常負荷時においてはエジェクタの体格が不必要に大きくなってしまうことが問題となる。
【００１１】
そこで、本発明者らは、先に、特願２０１２−１８４９５０号（以下、先願例という。）にて、
エジェクタ式冷凍サイクルに適用されるエジェクタであって、
放熱器から流出した冷媒を旋回させる旋回空間、この旋回空間から流出した冷媒を減圧させる減圧用空間、減圧用空間の冷媒流れ下流側に連通して蒸発器から流出した冷媒を吸引する吸引用通路、および減圧用空間から噴射された噴射冷媒と吸引用通路から吸引された吸引冷媒とを混合して昇圧させる昇圧用空間が形成されたボデー部と、
少なくとも一部が減圧用空間の内部および昇圧用空間の内部に配置されて、減圧用空間から離れるに伴って断面積が拡大する円錐状に形成された通路形成部材と、
ボデーのうち減圧用空間を形成する部位の内周面と通路形成部材の外周面との間に形成される冷媒通路が、旋回空間から流出した冷媒を減圧させて噴射するノズルとして機能するノズル通路を形成し、
ボデーのうち昇圧用空間を形成する部位の内周面と通路形成部材の外周面との間に形成される冷媒通路が、噴射冷媒および吸引冷媒を混合して昇圧させるディフューザとして機能するディフューザ通路を形成し、
さらに、通路形成部材を変位させて、ノズル通路の冷媒通路面積を変化させる駆動手段を備えるエジェクタを提案している。
【００１２】
この先願例のエジェクタでは、旋回空間にて冷媒を旋回させることで、旋回空間内の旋回中心側の冷媒圧力を、飽和液相冷媒となる圧力、あるいは、冷媒が減圧沸騰する（キャビテーションを生じる）圧力まで低下させることができる。これにより、旋回中心軸の外周側よりも内周側に気相冷媒が多く存在するようにして、旋回空間内の旋回中心線近傍はガス単相、その周りは液単相の二相分離状態とすることができる。
【００１３】
そして、二相分離状態の冷媒は、ノズル通路へ流入して壁面沸騰および界面沸騰によって沸騰が促進されるので、ノズル通路の最小流路面積部近傍では、気相と液相が均質に混合した気液混合状態となる。さらに、ノズル通路の最小流路面積部近傍にて気液混合状態となった冷媒に閉塞（チョーキング）を生じさせて、気液混合状態の冷媒の流速が二相音速となるまで加速する。
【００１４】
このように二相音速まで加速した冷媒は、ノズル通路の最小流路面積部から下流側にて、均質に混合された理想的な二相噴霧流れとなって、その流速をさらに増大させることができる。その結果、ノズル通路にて冷媒の圧力エネルギを速度エネルギへ変換する際のエネルギ変換効率（ノズル効率に相当）を向上させることができる。
【００１５】
さらに、先願例のエジェクタでは、通路形成部材として減圧用空間から離れるに伴って断面積が拡大する円錐状に形成されたものを採用して、ディフューザ通路の軸方向垂直断面形状を円環状に形成している。そして、ディフューザ通路の形状を減圧用空間から離れるに伴って通路形成部材の外周に沿って広がる形状とするとともに、ディフューザ通路を流通する冷媒を旋回させている。
【００１６】
これにより、ディフューザ通路において冷媒を昇圧させるための冷媒流路を螺旋状に形成することができるので、ディフューザ通路の軸方向寸法が拡大してしまうことを抑制できる。その結果、エジェクタ全体としての体格の大型化を抑制できる。つまり、先願例のエジェクタによれば、体格の大型化を招くことなく、冷凍サイクルの負荷変動によらず高いノズル効率を発揮させることができる。
【００１７】
さらに、先願例のエジェクタでは、通路形成部材を変位させる駆動手段を備えているので、エジェクタ式冷凍サイクルの負荷変動に応じてノズル通路の冷媒通路面積（最小通路面積部における通路断面積）を変化させることができる。従って、エジェクタ式冷凍サイクルの負荷変動に応じてノズル通路の冷媒通路面積を適切に変化させて、エジェクタを適切に作動させることができる。
【００１８】
しかしながら、先願例のエジェクタのように、駆動手段がノズル通路の冷媒通路面積を変化させるために通路形成部材を変位させる構成では、駆動手段と通路形成部材とを連結して駆動手段から通路形成部材へ駆動力を伝達する連結部材（作動棒）が、ノズル通路あるいはディフューザ通路を横切るように配置されてしまうことがある。
【００１９】
例えば、エジェクタ全体としての大型化を抑制するために駆動手段を通路形成部材の外周側に配置する構成では、連結部材がディフューザ通路あるいはディフューザ通路の出入口近傍を横切るように配置されてしまいやすい。このような連結部材の配置は、ディフューザ通路を流通する冷媒の旋回流れの通路抵抗となり、冷媒の旋回方向の速度を低下させてしまう原因となる。
【００２０】
そして、ディフューザ通路を流通する冷媒の旋回方向の速度が低下してしまうと、ディフューザ通路にて冷媒を昇圧させるための螺旋状の冷媒流路が短くなってしまうので、ディフューザ通路にて冷媒を充分に昇圧させることができなくなってしまうおそれがある。
【００２１】
上記点に鑑み、本発明は、体格の大型化を招くことなく、冷凍サイクルの負荷変動によらず高いノズル効率および高い昇圧性能を発揮可能なエジェクタを提供することを目的とする。
【課題を解決するための手段】
【００２２】
本発明は、上記目的を達成するために案出されたもので、請求項１に記載の発明では、蒸気圧縮式の冷凍サイクル装置（１０）に適用されるエジェクタであって、
冷媒流入口（３１ａ）から流入した冷媒を旋回させる旋回空間（３０ａ）、旋回空間（３０ａ）から流出した冷媒を減圧させる減圧用空間（３０ｂ）、減圧用空間（３０ｂ）の冷媒流れ下流側に連通して外部から冷媒を吸引する吸引用通路（１３ｂ）、減圧用空間（３０ｂ）から噴射された噴射冷媒と吸引用通路（１３ｂ）から吸引された吸引冷媒とを混合させる昇圧用空間（３０ｅ）が形成されたボデー（３０）と、少なくとも一部が減圧用空間（３０ｂ）の内部および昇圧用空間（３０ｅ）の内部に配置されるとともに、減圧用空間（３０ｂ）から離れるに伴って断面積が拡大する円錐状に形成された通路形成部材（３５）とを備え、
ボデー（３０）は、少なくとも減圧用空間（３０ｂ）を形成するノズルボデー（３２）を含む複数の部材を組み合わせることによって構成されており、ノズルボデー（３２）のうち減圧用空間（３０ｂ）を形成する部位の内周面と通路形成部材（３５）の外周面との間に形成される冷媒通路は、旋回空間（３０ａ）から流出した冷媒を減圧させて噴射するノズルとして機能するノズル通路（１３ａ）であり、ボデー（３０）のうち昇圧用空間（３０ｅ）を形成する部位の内周面と通路形成部材（３５）の外周面との間に形成される冷媒通路は、噴射冷媒および吸引冷媒との混合冷媒を昇圧させるディフューザとして機能するディフューザ通路（１３ｃ）であり、ディフューザ通路（１３ｃ）は、通路形成部材（３５）の軸方向に垂直な断面における断面形状が環状に形成されており、ディフューザ通路（１３ｃ）を流通する冷媒は、通路形成部材（３５）の軸周りに旋回しており、
さらに、ノズルボデー（３２）を変位させて、ノズル通路（１３ａ）の冷媒通路面積を変化させる駆動手段（３７）を備えることを特徴とする。
【００２３】
これによれば、旋回空間（３０ａ）にて冷媒を旋回させることによって、先願例と同様に、ノズル通路（１３ａ）におけるエネルギ変換効率（ノズル効率に相当）を向上させることができる。さらに、ディフューザ通路（１３ｃ）を流通する冷媒を旋回させることによって、先願例と同様に、ディフューザ通路（１３ｃ）の軸方向寸法の拡大を抑制できる。さらに、駆動手段（３７）を備えているので、先願例と同様に、エジェクタを適切に作動させることができる。
【００２４】
これに加えて、本請求項に記載の発明によれば、駆動手段（３７）がノズル通路（１３ａ）の冷媒通路面積を変化させるためにノズルボデー（３２）を変位させるので、駆動手段（３７）からノズルボデー（３２）へ駆動力を伝達する構成として、ディフューザ通路（１３ｃ）を流通する冷媒の旋回流れを妨げない構成を容易に実現できる。
【００２５】
換言すると、駆動手段（３７）からノズルボデー（３２）へ駆動力を伝達する構成として、ディフューザ通路（１３ｃ）を流通する冷媒の旋回方向の速度を低下させない構成を容易に実現できる。従って、ディフューザ通路（１３ｃ）にて、冷媒を昇圧させるための螺旋状の冷媒流路が短くなってしまうことを抑制して、ディフューザ通路（１３ｃ）における冷媒の昇圧量の低下を抑制できる。
【００２６】
その結果、体格の大型化を招くことなく、冷凍サイクル装置（１０）の負荷変動によらずノズル通路（１３ａ）にて高いエネルギ変換効率（従来技術のノズル効率に相当）を発揮でき、さらに、ディフューザ通路（１３ｃ）にて高い昇圧性能を発揮できるエジェクタを提供することができる。
【００２７】
さらに、ディフューザ通路（１３ｃ）を流通する冷媒が、旋回空間（３０ａ）にて旋回する冷媒と同方向に旋回していることで、ディフューザ通路（１３ｃ）にて冷媒を昇圧させるための螺旋状の冷媒流路が短くなってしまうこと効果的に抑制して、ディフューザ通路（１３ｃ）における冷媒の昇圧量の低下を効果的に抑制できる。
【００２８】
より具体的には、請求項１に記載のエジェクタにおいて、駆動手段（３７）からノズルボデー（３２）へ駆動力を伝達する構成として、駆動手段（３７）とノズルボデー（３２）とを連結する連結部材（３８）を備えるものであれば、ディフューザ通路（１３ｃ）を横切らないように連結部材（３８）を配置すればよい。また、請求項１に記載のエジェクタにおいて、連結部材（３８）がディフューザ通路（１３ｃ）を流通する冷媒の流れを阻害しないように、連結部材（３８）をディフューザ通路（１３ｃ）の外部に配置すればよい。
【００２９】
これによれば、駆動手段（３７）からノズルボデー（３２）へ駆動力を伝達する構成である連結部材（３８）が、ディフューザ通路（１３ｃ）を流通する冷媒の旋回方向の速度を低下させない構成を極めて容易に実現できる。
【００３０】
なお、上記の請求項において、通路形成部材（３５）は、厳密に減圧用空間（３０ｂ）から離れるに伴って断面積が拡大する形状のみから形成されているものに限定されず、少なくとも一部に減圧用空間（３０ｂ）から離れるに伴って断面積が拡大する形状を含んでいることによって、ディフューザ通路（１３ｃ）の形状を減圧用空間（３０ｂ）から離れるに伴って外側へ広がる形状とすることができるものを含む。
【００３１】
さらに、「円錐状に形成された」とは、通路形成部材（３５）が完全な円錐形状に形成されているという意味に限定されず、円錐に近い形状、あるいは一部に円錐形状を含んで形成されているという意味も含んでいる。具体的には、軸方向断面形状が二等辺三角形となるものに限定されず、頂点を挟む二辺が内周側に凸となる形状、頂点を挟む二辺が外周側に凸となる形状、さらに断面形状が半円形状となるもの等も含む意味である。
【００３２】
なお、この欄および特許請求の範囲で記載した各手段の括弧内の符号は、後述する実施形態に記載の具体的手段との対応関係を示すものである。
【図面の簡単な説明】
【００３３】
【図１】第１実施形態のエジェクタ式冷凍サイクルの模式的な全体構成図である。
【図２】第１実施形態のエジェクタの軸方向断面図である。
【図３】第１実施形態のエジェクタの各冷媒通路の機能を説明するための模式的な断面図である。
【図４】図３のＩＶ−ＩＶ断面図である。
【図５】第１実施形態のエジェクタ式冷凍サイクルにおける冷媒の状態を示すモリエル線図である。
【図６】第２実施形態のエジェクタの軸方向断面図である。
【図７】他の実施形態のエジェクタのディフューザ通路における冷媒流れを説明するための図３に対応する断面図である。
【発明を実施するための形態】
【００３４】
（第１実施形態）
図１〜図５を用いて、本発明の第１実施形態を説明する。本実施形態のエジェクタ１３は、図１に示すように、冷媒減圧手段としてエジェクタを備える冷凍サイクル装置、すなわち、エジェクタ式冷凍サイクル１０に適用されている。さらに、このエジェクタ式冷凍サイクル１０は、車両用空調装置に適用されており、空調対象空間である車室内へ送風される送風空気を冷却する機能を果たす。
【００３５】
まず、エジェクタ式冷凍サイクル１０において、圧縮機１１は、冷媒を吸入して高圧冷媒となるまで昇圧して吐出するものである。具体的には、本実施形態の圧縮機１１は、１つのハウジング内に固定容量型の圧縮機構１１ａ、および圧縮機構１１ａを駆動する電動モータ１１ｂを収容して構成された電動圧縮機である。
【００３６】
この圧縮機構１１ａとしては、スクロール型圧縮機構、ベーン型圧縮機構等の各種圧縮機構を採用できる。また、電動モータ１１ｂは、後述する制御装置から出力される制御信号によって、その作動（回転数）が制御されるもので、交流モータ、直流モータのいずれの形式を採用してもよい。
【００３７】
圧縮機１１の吐出口には、放熱器１２の凝縮部１２ａの冷媒入口側が接続されている。放熱器１２は、圧縮機１１から吐出された高圧冷媒と冷却ファン１２ｄにより送風される車室外空気（外気）を熱交換させることによって、高圧冷媒を放熱させて冷却する放熱用熱交換器である。
【００３８】
より具体的には、この放熱器１２は、圧縮機１１から吐出された高圧気相冷媒と冷却ファン１２ｄから送風された外気とを熱交換させ、高圧気相冷媒を放熱させて凝縮させる凝縮部１２ａ、凝縮部１２ａから流出した冷媒の気液を分離して余剰液相冷媒を蓄えるレシーバ部１２ｂ、およびレシーバ部１２ｂから流出した液相冷媒と冷却ファン１２ｄから送風される外気とを熱交換させ、液相冷媒を過冷却する過冷却部１２ｃを有して構成される、いわゆるサブクール型の凝縮器である。
【００３９】
なお、このエジェクタ式冷凍サイクル１０では、冷媒としてＨＦＣ系冷媒（具体的には、Ｒ１３４ａ）を採用しており、高圧側冷媒圧力が冷媒の臨界圧力を超えない亜臨界冷凍サイクルを構成している。もちろん、冷媒としてＨＦＯ系冷媒（具体的には、Ｒ１２３４ｙｆ）等を採用してもよい。さらに、冷媒には圧縮機１１を潤滑するための冷凍機油が混入されており、冷凍機油の一部は冷媒とともにサイクルを循環している。
【００４０】
また、冷却ファン１２ｄは、制御装置から出力される制御電圧によって回転数（送風空気量）が制御される電動式送風機である。放熱器１２の過冷却部１２ｃの冷媒出口側には、エジェクタ１３の冷媒流入口３１ａが接続されている。
【００４１】
エジェクタ１３は、放熱器１２から流出した過冷却状態の高圧液相冷媒を減圧させて下流側へ流出させる冷媒減圧手段としての機能を果たすとともに、高速度で噴射される冷媒流の吸引作用によって後述する蒸発器１４から流出した冷媒を吸引（輸送）して循環させる冷媒循環手段（冷媒輸送手段）としての機能を果たす。さらに、本実施形態のエジェクタ１３は、減圧させた冷媒の気液を分離する気液分離手段としての機能も果たす。
【００４２】
エジェクタ１３の具体的構成については、図２〜図４を用いて説明する。なお、図２における上下の各矢印は、エジェクタ式冷凍サイクル１０を車両用空調装置に搭載した状態における上下の各方向を示している。また、図３は、エジェクタ１３の各冷媒通路の機能を説明するための模式的な断面図であって、図２と同一部分には同一の符号を付している。
【００４３】
まず、本実施形態のエジェクタ１３は、図２に示すように、複数の構成部材を組み合わせることによって構成されたボデー３０を備えている。具体的には、このボデー３０は、角柱状あるいは円柱状の金属にて形成されてエジェクタ１３の外殻を形成するハウジングボデー３１を有し、このハウジングボデー３１の内部に、ノズルボデー３２、ミドルボデー３３、ロワーボデー３４等を収容あるいは固定して構成されたものである。
【００４４】
ハウジングボデー３１には、放熱器１２から流出した冷媒を内部へ流入させる冷媒流入口３１ａ、蒸発器１４から流出した冷媒を吸引する冷媒吸引口３１ｂ、ボデー３０の内部に形成された気液分離空間３０ｆにて分離された液相冷媒を蒸発器１４の冷媒入口側へ流出させる液相冷媒流出口３１ｃ、および気液分離空間３０ｆにて分離された気相冷媒を圧縮機１１の吸入側へ流出させる気相冷媒流出口３１ｄ等が形成されている。
【００４５】
ノズルボデー３２は、円筒状部と、この円筒状部の下方側から連続して冷媒流れ方向に向かって先細る略円錐台状部とを有して構成された金属部材であり、図２の一点鎖線で示す中心軸方向が鉛直方向（図２の上下方向）と平行となるようにハウジングボデー３１内に収容されている。さらに、ノズルボデー３２は、後述する駆動手段３７から伝達される駆動力によって、ハウジングボデー３１内で変位可能に収容されている。
【００４６】
より詳細には、ハウジングボデー３１には、ノズルボデー３２と同軸上に形成された円柱状の収容穴３１ｆが形成されており、この収容穴にノズルボデー３２の上方側の円筒状部の外周面が摺動可能に嵌め込まれている。つまり、ノズルボデー３２の円筒状部の外径寸法と収容穴３１ｆの内径寸法は隙間バメの寸法関係となっている。
【００４７】
これにより、ノズルボデー３２は、図３の白抜き矢印に示すように、ハウジングボデー３１内で中心軸方向に変位することができる。なお、ノズルボデー３２の円筒状部の外周側と収容穴３１ｆの内周側との隙間には、図示しないＯリング等のシール部材が配置されており、この隙間から冷媒が漏れることはない。
【００４８】
また、ノズルボデー３２の円筒状部の内部に形成された空間とハウジングボデー３１の収容穴３１ｆの上方側に形成された空間は、冷媒流入口３１ａから流入した冷媒を旋回させる旋回空間３０ａを形成している。旋回空間３０ａは、ノズルボデー３２の中心軸と同軸上に配置された回転体形状に形成されている。
【００４９】
なお、回転体形状とは、平面図形を同一平面上の１つの直線（中心軸）の周りに回転させた際に形成される立体形状である。より具体的には、本実施形態の旋回空間３０ａは、略円柱状に形成されている。もちろん、円錐あるいは円錐台と円柱とを結合させた形状等に形成されていてもよい。
【００５０】
さらに、冷媒流入口３１ａと旋回空間３０ａとを接続する冷媒流入通路３１ｅは、旋回空間３０ａの中心軸方向から見たときに旋回空間３０ａの内壁面の接線方向に延びている。これにより、冷媒流入通路３１ｅから旋回空間３０ａへ流入した冷媒は、旋回空間３０ａの内壁面に沿って流れ、旋回空間３０ａ内を旋回する。
【００５１】
なお、冷媒流入通路３１ｅは、旋回空間３０ａの中心軸方向から見たときに、旋回空間３０ａの接線方向と完全に一致するように形成されている必要はなく、少なくとも旋回空間３０ａの接線方向の成分を含んでいれば、その他の方向の成分（例えば、旋回空間３０ａの軸方向の成分）を含んで形成されていてもよい。
【００５２】
ここで、旋回空間３０ａ内で旋回する冷媒には遠心力が作用するので、旋回空間３０ａ内では中心軸側の冷媒圧力が外周側の冷媒圧力よりも低下する。そこで、本実施形態では、エジェクタ式冷凍サイクル１０の通常運転時に、旋回空間３０ａ内の中心軸側の冷媒圧力を、飽和液相冷媒となる圧力、あるいは、冷媒が減圧沸騰する（キャビテーションを生じる）圧力まで低下させるようにしている。
【００５３】
このような旋回空間３０ａ内の中心軸側の冷媒圧力の調整は、旋回空間３０ａ内で旋回する冷媒の旋回流速を調整することによって実現することができる。さらに、旋回流速の調整は、例えば、冷媒流入通路３１ｅの通路断面積と旋回空間３０ａの軸方向垂直断面積との面積比を調整すること等によって行うことができる。なお、本実施形態の旋回流速とは、旋回空間３０ａの最外周部近傍における冷媒の旋回方向の流速を意味している。
【００５４】
また、ノズルボデー３２の内部であって旋回空間３０ａの冷媒流れ下流側の部位、すなわち、ノズルボデー３２の下方側に配置される略円錐台状部の内部には、旋回空間３０ａから流出した冷媒を減圧させる減圧用空間３０ｂが形成されている。減圧用空間３０ｂは、円柱状空間とこの円柱状空間の下方側から連続して冷媒流れ方向に向かって徐々に広がる円錐台形状空間とを結合させた回転体形状に形成され、その中心軸は、旋回空間３０ａの中心軸と同軸上に配置されている。
【００５５】
さらに、減圧用空間３０ｂの内部には、減圧用空間３０ｂ内に冷媒通路面積が最も縮小した最小通路面積部３０ｍを形成するとともに、最小通路面積部３０ｍの通路面積を変化させる通路形成部材３５の上方側が配置されている。この通路形成部材３５は、冷媒流れ下流側に向かって徐々に広がる略円錐形状に形成されており、その中心軸が減圧用空間３０ｂの中心軸と同軸上に配置されている。換言すると、通路形成部材３５は、減圧用空間３０ｂから離れるに伴って断面積が拡大する円錐状に形成されている。
【００５６】
そして、ノズルボデー３２の減圧用空間３０ｂを形成する部位の内周面と通路形成部材３５の上方側の外周面との間に形成される冷媒通路としては、図３に示すように、最小通路面積部３０ｍよりも冷媒流れ上流側に形成されて最小通路面積部３０ｍに至るまでの冷媒通路面積が徐々に縮小する先細部１３１、および最小通路面積部３０ｍから冷媒流れ下流側に形成されて冷媒通路面積が徐々に拡大する末広部１３２が形成される。
【００５７】
末広部１３２では、径方向から見たときに減圧用空間３０ｂと通路形成部材３５の上方側（頂部側）が重合（オーバーラップ）しているので、冷媒通路の軸方向垂直断面の形状が円環状（円形状から同軸上に配置された小径の円形状を除いたドーナツ形状）となる。さらに、本実施形態の通路形成部材３５の広がり角度は、減圧用空間３０ｂの円錐台形状空間の広がり角度よりも小さくなっているので、末広部１３２における冷媒通路面積は、冷媒流れ下流側に向かって徐々に拡大している。
【００５８】
本実施形態では、この通路形状によって減圧用空間３０ｂの内周面と通路形成部材３５の頂部側の外周面との間に形成される冷媒通路をノズルとして機能するノズル通路１３ａとし、冷媒を減圧させるとともに、冷媒の流速を音速となるように増速させて噴射している。さらに、ノズル通路１３ａへ流入する冷媒は旋回空間３０ａにて旋回しているので、ノズル通路１３ａを流通する冷媒およびノズル通路１３ａから噴射される噴射冷媒も、旋回空間３０ａにて旋回する冷媒と同方向に旋回する方向の速度成分を有している。
【００５９】
次に、ミドルボデー３３は、図２に示すように、その中心部に表裏を貫通する回転体形状の貫通穴が設けられているとともに、この貫通穴の外周側にノズルボデー３２を変位させる駆動手段３７を収容した金属製の円板状部材で形成されている。なお、貫通穴の中心軸は旋回空間３０ａおよび減圧用空間３０ｂの中心軸と同軸上に配置されている。また、ミドルボデー３３は、ハウジングボデー３１の内部であって、かつ、ノズルボデー３２の下方側に圧入等の手段によって固定されている。
【００６０】
さらに、ミドルボデー３３の上面とこれに対向するハウジングボデー３１の内壁面との間には、冷媒吸引口３１ｂから流入した冷媒を滞留させる流入空間３０ｃが形成されている。なお、本実施形態では、ノズルボデー３２の下方側の略円錐台状部の先端がミドルボデー３３の貫通穴の内部に位置付けられるため、流入空間３０ｃの軸方向垂直断面の形状は円環状（ドーナツ形状）に形成される。
【００６１】
また、ミドルボデー３３の貫通穴のうち、ノズルボデー３２の下方側が挿入される範囲、すなわち軸線に垂直な径方向から見たときにミドルボデー３３とノズルボデー３２が重合する範囲では、ノズルボデー３２の先細先端部の外周形状に適合するように冷媒通路面積が冷媒流れ方向に向かって徐々に縮小している。
【００６２】
これにより、貫通穴の内周面とノズルボデー３２の略円錐台状部の外周面との間には、流入空間３０ｃと減圧用空間３０ｂの冷媒流れ下流側とを連通させる吸引通路３０ｄが形成される。つまり、本実施形態では、流入空間３０ｃおよび吸引通路３０ｄによって、中心軸の外周側から内周側へ向かって吸引冷媒が流れる吸引用通路１３ｂが形成されることになる。さらに、吸引用通路１３ｂも軸方向垂直断面の形状が円環状に形成される。
【００６３】
また、ミドルボデー３３の貫通穴のうち、吸引通路３０ｄの冷媒流れ下流側には、冷媒流れ方向に向かって徐々に広がる略円錐台形状に形成された昇圧用空間３０ｅが形成されている。この昇圧用空間３０ｅは、上述したノズル通路１３ａから噴射された噴射冷媒と吸引通路３０ｄから吸引された吸引冷媒とを混合させる空間である。
【００６４】
この昇圧用空間３０ｅの内部には、前述した通路形成部材３５の下方側が配置されている。さらに、昇圧用空間３０ｅ内の通路形成部材３５の円錐状側面の広がり角度は、昇圧用空間３０ｅの円錐台形状空間の広がり角度よりも小さくなっているので、この冷媒通路の冷媒通路面積は冷媒流れ下流側に向かって徐々に拡大する。
【００６５】
本実施形態では、このように冷媒通路面積を拡大させることによって、昇圧用空間３０ｅを形成するミドルボデー３３の内周面と通路形成部材３５の下方側の外周面との間に形成される冷媒通路をディフューザとして機能するディフューザ通路１３ｃとし、噴射冷媒および吸引冷媒の混合冷媒の速度エネルギを圧力エネルギに変換させている。つまり、ディフューザ通路１３ｃでは、噴射冷媒および吸引冷媒を混合して昇圧させている。
【００６６】
さらに、図４の断面図に示すように、ディフューザ通路１３ｃも軸方向垂直断面の形状が円環状に形成されており、ディフューザ通路１３ｃを流通する冷媒も、図３、図４に模式的に示すように、旋回空間３０ａにて旋回する冷媒と同方向に旋回する方向の速度成分を有している。
【００６７】
次に、ミドルボデー３３の内部に配置されて、ノズルボデー３２を変位させる駆動手段３７について説明する。駆動手段３７は、圧力応動部材である円形薄板状のダイヤフラム３７ａおよびダイヤフラム３７ａによって区画された封入空間３７ｂを有して構成されている。ダイヤフラム３７ａは、ミドルボデー３３に形成された円柱状の有底穴の上方側の（流入空間３０ｃ側）開口部を密閉するように、溶接等の手段によって固定されている。
【００６８】
さらに、ダイヤフラム３７ａがミドルボデー３３の円柱状の有底穴を密閉することによって区画される空間は、蒸発器１４流出冷媒の温度に応じて圧力変化する感温媒体が封入される封入空間３７ｂを構成している。この封入空間３７ｂには、エジェクタ式冷凍サイクル１０を循環する冷媒と同一組成の感温媒体が、予め定めた密度となるように封入されている。従って、本実施形態における感温媒体は、Ｒ１３４ａ、あるいは、Ｒ１３４ａを主成分とする媒体となる。
【００６９】
ここで、図２から明らかなように、駆動手段３７を構成するダイヤフラム３７ａおよび封入空間３７ｂは、ミドルボデー３３内の外周側、つまり、通路形成部材３５の外周側に配置されている。そして、ミドルボデー３３の上方側には吸引用通路１３ｂを形成する流入空間３０ｃが配置され、ミドルボデー３３の下方側にはディフューザ通路１３ｃが配置されている。
【００７０】
従って、駆動手段３７の少なくとも一部は、軸線の径方向から見たときに吸引用通路１３ｂおよびディフューザ通路１３ｃによって上下方向から挟まれる位置に配置されることになる。換言すると、駆動手段３７は、通路形成部材３５の中心軸方向から見たときに、吸引用通路１３ｂおよびディフューザ通路１３ｃと重合する位置であって、吸引用通路１３ｂとディフューザ通路１３ｃとの間に配置されることになる。
【００７１】
また、封入空間３７ｂ内の感温媒体には、ダイヤフラム３７ａおよびミドルボデー３３を介して、流入空間３０ｃへ流入した蒸発器１４流出冷媒の温度が伝達されるので、封入空間３７ｂの内圧は、蒸発器１４流出冷媒の温度に応じた圧力となる。そして、ダイヤフラム３７ａは、封入空間３７ｂの内圧と流入空間３０ｃへ流入した蒸発器１４流出冷媒の圧力との差圧に応じて変形する。
【００７２】
このため、ダイヤフラム３７ａは弾性に富み、かつ熱伝導が良好で、強靱な材質にて形成することが好ましく、例えば、ステンレス（ＳＵＳ３０４）等の金属薄板にて形成されることが望ましい。
【００７３】
さらに、ダイヤフラム３７ａの流入空間３０ｃ側面の中心部には、鉛直方向に延びる円柱状の作動棒３８の下端部が溶接等の接合手段によって接合されている。一方、作動棒３８の上端部には、ノズルボデー３２の外周側に設けられて外周側に広がる円板状の鍔部３２ａが固定されている。
【００７４】
これにより、ダイヤフラム３７ａとノズルボデー３２とが連結され、ダイヤフラム３７ａの変位に伴ってノズルボデー３２が変位し、ノズル通路１３ａの冷媒通路面積（最小通路面積部３０ｍにおける通路断面積）が調整される。つまり、本実施形態の作動棒３８は、駆動手段３７を構成するダイヤフラム３７ａとノズルボデー３２とを連結して、駆動手段３７からノズルボデー３２へ駆動力を伝達する連結部材として機能している。
【００７５】
また、ノズルボデー３２の鍔部３２ａとハウジングボデー３１との間には、コイルバネ３２ｂが配置されている。このコイルバネ３２ｂは、ノズルボデー３２に対して通路形成部材３５に近づく側（最小通路面積部３０ｍにおける冷媒通路面積を縮小する側）へ付勢する荷重をかけている。
【００７６】
従って、流入空間３０ｃへ流入した蒸発器１４流出冷媒の温度（過熱度）が上昇すると、封入空間３７ｂに封入された感温媒体の飽和圧力が上昇し、封入空間３７ｂの内圧から流入空間３０ｃ内の冷媒圧力を差し引いた差圧が大きくなる。そして、差圧による荷重がコイルバネ３２ｂによる荷重を上回ると、ダイヤフラム３７ａが流入空間３０ｃ（吸引用通路１３ｂ）側へ変位する。
【００７７】
さらに、このダイヤフラム３７ａの流入空間３０ｃ側への変位が作動棒３８を介してノズルボデー３２へ伝達されることによって、ノズルボデー３２が上方側（最小通路面積部３０ｍにおける冷媒通路面積を拡大させる側）へ変位する。
【００７８】
一方、流入空間３０ｃへ流入した蒸発器１４流出冷媒の温度（過熱度）が低下すると、封入空間３７ｂに封入された感温媒体の飽和圧力が低下して、封入空間３７ｂの内圧から流入空間３０ｃ内の冷媒圧力を差し引いた差圧が小さくなる。そして、差圧による荷重が小さくなるとコイルバネ３２ｂの荷重によって、ダイヤフラム３７ａが封入空間３７ｂ（ディフューザ通路１３ｃ）側へ変位する。
【００７９】
さらに、このダイヤフラム３７ａの封入空間３７ｂ側への変位が作動棒３８を介してノズルボデー３２へ伝達されることによって、ノズルボデー３２が下方側（最小通路面積部３０ｍにおける冷媒通路面積を縮小させる側）へ変位する。
【００８０】
つまり、本実施形態の駆動手段３７では、通路形成部材３５の軸方向（鉛直方向）のうち、ディフューザ通路１３ｃ側から吸引用通路１３ｂ側へ向かう方向の力（駆動力）を生じさせることによって、ノズル通路１３ａの最小通路面積部３０ｍにおける冷媒通路面積を拡大させている。
【００８１】
このように蒸発器１４流出冷媒の過熱度に応じて駆動手段３７（ダイヤフラム３７ａ）がノズルボデー３２を変位させることによって、蒸発器１４出口側冷媒の過熱度が予め定めた所定値に近づくように、最小通路面積部３０ｍにおける冷媒通路面積を調整することができる。さらに、コイルバネ３２ｂの荷重を調整することで、ノズルボデー３２の変位量を変化させて狙いの過熱度を変更することもできる。
【００８２】
さらに、本実施形態では、ミドルボデー２３０の外周側に複数（具体的には２つ）の円柱状の空間を設け、この空間の内部にそれぞれ円形薄板状のダイヤフラム３７ａを固定して２つの駆動手段３７を構成しているが、駆動手段３７の数はこれに限定されない。なお、駆動手段３７を複数箇所に設ける場合は、それぞれ中心軸に対して等角度間隔で配置されていることが望ましい。
【００８３】
また、軸方向からみたときに円環状に形成される空間内に、円環状の薄板で形成されたダイヤフラムを固定し、複数の作動棒でこのダイヤフラムと通路形成部材３５とを連結する構成としてもよい。
【００８４】
次に、図２に示すロワーボデー３４は、円柱状の金属部材で形成されており、ハウジングボデー３１の底面を閉塞するように、ハウジングボデー３１内にネジ止め等の手段によって固定されている。ロワーボデー３４の上方側とミドルボデー３３との間には、ディフューザ通路１３ｃから流出した冷媒の気液を分離する気液分離空間３０ｆが形成されている。
【００８５】
この気液分離空間３０ｆは、略円柱状の回転体形状の空間として形成されており、気液分離空間３０ｆの中心軸も、旋回空間３０ａ、減圧用空間３０ｂ等の中心軸と同軸上に配置されている。
【００８６】
また、前述の如く、ディフューザ通路１３ｃでは、冷媒が断面円環形状の冷媒通路に沿って旋回しながら流れるので、このディフューザ通路１３ｃから気液分離空間３０ｆへ流入する冷媒も、旋回方向の速度成分を有している。従って、気液分離空間３０ｆ内では遠心力の作用によって冷媒の気液が分離されることになる。さらに、この気液分離空間３０ｆの内容積は、サイクルに負荷変動が生じてサイクルを循環する冷媒循環流量が変動しても、実質的に余剰冷媒を溜めることができない程度の容積になっている。
【００８７】
ロワーボデー３４の中心部には、気液分離空間３０ｆに同軸上に配置されて、上方側へ向かって延びる円筒状のパイプ３４ａが設けられている。そして、気液分離空間３０ｆにて分離された液相冷媒は、パイプ３４ａの外周側に一時的に滞留して、液相冷媒流出口３１ｃから流出する。また、パイプ３４ａの内部には、気液分離空間３０ｆにて分離された気相冷媒をハウジングボデー３１の気相冷媒流出口３１ｄへ導く気相冷媒流出通路３４ｂが形成されている。
【００８８】
さらに、パイプ３４ａの上端部には、その表裏を連通させる複数の連通孔が設けられたプレート部材３５ａが配置されており、このプレート部材３５ａには通路形成部材３５の底面に設けられて気相冷媒流出通路３４ｂよりも細く形成された略円柱状の連結柱３５ｂが固定されている。また、パイプ３４ａの根本部（最下方部）には、液相冷媒中に混入している冷凍機油を気相冷媒流出通路３４ｂを介して圧縮機１１内へ戻すオイル戻し穴３４ｄが形成されている。
【００８９】
エジェクタ１３の液相冷媒流出口３１ｃには、図１に示すように、蒸発器１４の入口側が接続されている。蒸発器１４は、エジェクタ１３にて減圧された低圧冷媒と送風ファン１４ａから車室内へ送風される送風空気とを熱交換させることによって、低圧冷媒を蒸発させて吸熱作用を発揮させる吸熱用熱交換器である。
【００９０】
送風ファン１４ａは、制御装置から出力される制御電圧によって回転数（送風空気量）が制御される電動式送風機である。蒸発器１４の出口側には、エジェクタ１３の冷媒吸引口３１ｂが接続されている。さらに、エジェクタ１３の気相冷媒流出口３１ｄには圧縮機１１の吸入側が接続されている。
【００９１】
次に、図示しない制御装置は、ＣＰＵ、ＲＯＭおよびＲＡＭ等を含む周知のマイクロコンピュータとその周辺回路から構成される。この制御装置は、そのＲＯＭ内に記憶された制御プログラムに基づいて各種演算、処理を行って、上述の各種電気式のアクチュエータ１１ｂ、１２ｄ、１４ａ等の作動を制御する。
【００９２】
また、制御装置には、車室内温度を検出する内気温センサ、外気温を検出する外気温センサ、車室内の日射量を検出する日射センサ、蒸発器１４の吹出空気温度（蒸発器温度）を検出する蒸発器温度センサ、放熱器１２出口側冷媒の温度を検出する出口側温度センサおよび放熱器１２出口側冷媒の圧力を検出する出口側圧力センサ等の空調制御用のセンサ群が接続され、これらのセンサ群の検出値が入力される。
【００９３】
さらに、制御装置の入力側には、車室内前部の計器盤付近に配置された図示しない操作パネルが接続され、この操作パネルに設けられた各種操作スイッチからの操作信号が制御装置へ入力される。操作パネルに設けられた各種操作スイッチとしては、車室内空調を行うことを要求する空調作動スイッチ、車室内温度を設定する車室内温度設定スイッチ等が設けられている。
【００９４】
なお、本実施形態の制御装置は、その出力側に接続された各種の制御対象機器の作動を制御する制御手段が一体に構成されたものであるが、制御装置のうち、各制御対象機器の作動を制御する構成（ハードウェアおよびソフトウェア）が各制御対象機器の制御手段を構成している。例えば、本実施形態では、圧縮機１１の電動モータ１１ｂの作動を制御する構成（ハードウェアおよびソフトウェア）が吐出能力制御手段を構成している。
【００９５】
次に、上記構成における本実施形態の作動を図５のモリエル線図を用いて説明する。なお、このモリエル線図の縦軸には、図３のＰ０、Ｐ１、Ｐ２に対応する圧力が示されている。まず、操作パネルの作動スイッチが投入（ＯＮ）されると、制御装置が圧縮機１１の電動モータ１１ｂ、冷却ファン１２ｄ、送風ファン１４ａ等を作動させる。これにより、圧縮機１１が冷媒を吸入し、圧縮して吐出する。
【００９６】
圧縮機１１から吐出された高温高圧状態の気相冷媒（図５のａ５点）は、放熱器１２の凝縮部１２ａへ流入し、冷却ファン１２ｄから送風された送風空気（外気）と熱交換し、放熱して凝縮する。凝縮部１２ａにて放熱した冷媒は、レシーバ部１２ｂにて気液分離される。レシーバ部１２ｂにて気液分離された液相冷媒は、過冷却部１２ｃにて冷却ファン１２ｄから送風された送風空気と熱交換し、さらに放熱して過冷却液相冷媒となる（図５のａ５点→ｂ５点）。
【００９７】
放熱器１２の過冷却部１２ｃから流出した過冷却液相冷媒は、エジェクタ１３の減圧用空間３０ｂの内周面と通路形成部材３５の外周面との間に形成されるノズル通路１３ａにて等エントロピ的に減圧されて噴射される（図５のｂ５点→ｃ５点）。この際、減圧用空間３０ｂの最小通路面積部３０ｍにおける冷媒通路面積は、蒸発器１４出口側冷媒の過熱度が予め定めた所定値に近づくように調整される。
【００９８】
そして、ノズル通路１３ａから噴射された噴射冷媒の吸引作用によって、蒸発器１４から流出した冷媒が冷媒吸引口３１ｂ、吸引用通路１３ｂ（流入空間３０ｃおよび吸引通路３０ｄ）を介して吸引される。さらに、ノズル通路１３ａから噴射された噴射冷媒と吸引用通路１３ｂ等を介して吸引された吸引冷媒は、ディフューザ通路１３ｃへ流入する（図５のｃ５点→ｄ５点、ｈ５点→ｄ５点）。
【００９９】
ディフューザ通路１３ｃでは冷媒通路面積の拡大により、冷媒の速度エネルギが圧力エネルギに変換される。これにより、噴射冷媒と吸引冷媒が混合されながら混合冷媒の圧力が上昇する（図５のｄ５点→ｅ５点）。ディフューザ通路１３ｃから流出した冷媒は気液分離空間３０ｆにて気液分離される（図５のｅ５点→ｆ５点、ｅ５点→ｇ５点）。
【０１００】
気液分離空間３０ｆにて分離された液相冷媒は液相冷媒流出口３１ｃから流出して、蒸発器１４へ流入する。蒸発器１４へ流入した冷媒は、送風ファン１４ａによって送風された送風空気から吸熱して蒸発し、送風空気が冷却される（図５のｇ５点→ｈ５点）。一方、気液分離空間３０ｆにて分離された気相冷媒は気相冷媒流出口３１ｄから流出して、圧縮機１１へ吸入され再び圧縮される（図５のｆ５点→ａ５点）。
【０１０１】
本実施形態のエジェクタ式冷凍サイクル１０は、以上の如く作動して、車室内へ送風される送風空気を冷却することができる。さらに、このエジェクタ式冷凍サイクル１０では、ディフューザ通路１３ｃにて昇圧された冷媒を圧縮機１１に吸入させるので、圧縮機１１の駆動動力を低減させて、サイクル効率（ＣＯＰ）を向上させることができる。
【０１０２】
さらに、本実施形態のエジェクタ１３によれば、旋回空間３０ａにて冷媒を旋回させることで、旋回空間３０ａ内の旋回中心側の冷媒圧力を、飽和液相冷媒となる圧力、あるいは、冷媒が減圧沸騰する（キャビテーションを生じる）圧力まで低下させることができる。これにより、旋回中心軸の外周側よりも内周側に気相冷媒が多く存在するようにして、旋回空間３０ａ内の旋回中心線近傍はガス単相、その周りは液単相の二相分離状態とすることができる。
【０１０３】
このように二相分離状態となった冷媒がノズル通路１３ａへ流入することで、ノズル通路１３ａの先細部１３１では、円環状の冷媒通路の外周側壁面から冷媒が剥離する際に生じる壁面沸騰および円環状の冷媒通路の中心軸側の冷媒のキャビテーションによって生じた沸騰核による界面沸騰によって冷媒の沸騰が促進される。これにより、ノズル通路１３ａの最小通路面積部３０ｍへ流入する冷媒が、気相と液相が均質に混合した気液混合状態となる。
【０１０４】
そして、最小通路面積部３０ｍの近傍で気液混合状態の冷媒の流れに閉塞（チョーキング）が生じ、このチョーキングによって音速に到達した気液混合状態の冷媒が末広部１３２にて加速されて噴射される。このように、壁面沸騰および界面沸騰の双方による沸騰促進によって、気液混合状態の冷媒を音速となるまで効率よく加速できることで、ノズル通路１３ａにおけるエネルギ変換効率（従来技術のノズル効率に相当）を向上させることができる。
【０１０５】
さらに、本実施形態のエジェクタ１３では、通路形成部材３５として減圧用空間３０ｂから離れるに伴って断面積が拡大する円錐状に形成されたものを採用して、ディフューザ通路１３ｃの断面形状を円環状に形成しているので、ディフューザ通路１３ｃの形状を減圧用空間３０ｂから離れるに伴って通路形成部材３５の外周に沿って広がる形状とすることができるとともに、ディフューザ通路１３ｃを流通する冷媒を旋回させることができる。
【０１０６】
これにより、ディフューザ通路１３ｃにおいて冷媒を昇圧させるための冷媒流路を螺旋状に形成することができるので、従来技術の如くディフューザ部がノズル部の軸線方向に延びる形状に形成されている場合に対して、ディフューザ通路１３ｃの軸方向（通路形成部材３５の軸方向）の寸法が拡大してしまうことを抑制できる。その結果、エジェクタ１３全体としての体格の大型化を抑制できる。
【０１０７】
さらに、本実施形態のエジェクタ１３では、駆動手段３７を備えているので、エジェクタ式冷凍サイクル１０の負荷変動に応じてノズルボデー３２を変位させて、ノズル通路１３ａの冷媒通路面積（最小通路面積部３０ｍにおける通路断面積）を調整することができる。従って、エジェクタ式冷凍サイクル１０の負荷変動に応じてエジェクタ１３を適切に作動させることができる。
【０１０８】
これに加えて、本実施形態のエジェクタ１３では、駆動手段３７がノズル通路１３ａの冷媒通路面積を変化させるために、通路形成部材３５を変位させるのではなくノズルボデー３２を変位させるので、駆動手段３７からノズルボデー３２へ駆動力を伝達する構成として、ディフューザ通路１３ｃを流通する冷媒の旋回流れを妨げない構成を容易に実現することができる。
【０１０９】
換言すると、駆動手段３７からノズルボデー３２へ駆動力を伝達する構成として、ディフューザ通路１３ｃを流通する冷媒の旋回方向の速度を低下させない構成を容易に実現することができる。従って、ディフューザ通路１３ｃにて冷媒を昇圧させるための螺旋状の冷媒流路が短くなってしまうことを抑制して、ディフューザ通路１３ｃにおける冷媒の昇圧量の低下を抑制できる。さらに、ディフューザ通路１３ｃから流出して気液分離空間３０ｆへ流入した冷媒に作用する遠心力が小さくなってしまうことを抑制して、気液分離空間３０ｆにおける気液分離性能の低下を抑制することもできる。
【０１１０】
具体的には、本実施形態では、駆動手段３７を、通路形成部材３５の外周側であって吸引用通路１３ｂおよびディフューザ通路１３ｃによって上下方向から挟まれる位置に配置し、連結部材である作動棒３８を、駆動手段３７から吸引用通路１３ｂ側に延びるように配置している。そして、駆動手段３７が生じさせた駆動力を、駆動手段３７よりも上方側へ伝達するようにしている。
【０１１１】
これにより、駆動手段３７がノズルボデー３２を変位させるために生じさせる駆動力は、通路形成部材３５の軸方向のうち頂部側（上方側）へ伝達されることになる。従って、図４の断面図に示すように、作動棒３８がディフューザ通路１３ｃおよびディフューザ通路１３ｃの出入口近傍を横切らない構成を実現でき、ディフューザ通路１３ｃを流通する冷媒の旋回方向の速度を低下させない構成を極めて容易に実現できる。
【０１１２】
換言すると、作動棒３８が、ディフューザ通路１３ｃを流通する冷媒の流れを阻害しないようにディフューザ通路１３ｃの外部に配置される構成を実現でき、ディフューザ通路１３ｃを流通する冷媒の旋回方向の速度を低下させない構成を極めて容易に実現できる。従って、作動棒３８がディフューザ通路１３ｃを流通する冷媒の通路抵抗となってしまうことがないので、ディフューザ通路１３ｃにおける冷媒の昇圧量の低下を抑制できる。
【０１１３】
その結果、本実施形態のエジェクタ１３によれば、体格の大型化を招くことなく、エジェクタ式冷凍サイクル１０の負荷変動によらずノズル通路１３ａにて高いエネルギ変換効率（従来技術のノズル効率に相当）を発揮でき、さらに、ディフューザ通路１３ｃにて高い昇圧性能を発揮することができる。
【０１１４】
また、本実施形態のエジェクタ１３では、駆動手段３７が、吸引用通路１３ｂおよびディフューザ通路１３ｃによって上下方向から挟まれる位置に配置されているので、吸引用通路１３ｂとディフューザ通路１３ｃとの間に形成されるスペースを有効に活用することができる。その結果、より一層エジェクタ全体としての体格の大型化を抑制できる。
【０１１５】
しかも、封入空間３７ｂが吸引用通路１３ｂおよびディフューザ通路１３ｃによって囲まれる位置に配置されているので、外気温の影響等を受けることなく蒸発器１４流出冷媒の温度を感温媒体に良好に伝達して、封入空間３７ｂ内の圧力を変化させることができる。つまり、封入空間３７ｂ内の圧力を蒸発器１４流出冷媒の温度に応じて精度良く変化させることができる。
【０１１６】
その結果、ノズル通路１３ａの冷媒通路面積（最小通路面積部３０ｍにおける通路断面積）をより一層適切に変化させることができるとともに、封入空間３７ｂを小型化させて、駆動手段３７の小型化を図ることもできる。
【０１１７】
また、本実施形態のエジェクタ１３のボデー３０には、ディフューザ通路１３ｃから流出した冷媒の気液を分離する気液分離空間３０ｆが形成されているので、エジェクタ１３とは別に気液分離手段を設ける場合に対して、気液分離空間３０ｆの容積を効果的に小さくすることができる。
【０１１８】
つまり、本実施形態の気液分離空間３０ｆでは、前述の如く、ディフューザ通路１３ｃから流出する冷媒が既に旋回しているので気液分離空間３０ｆ内で冷媒の旋回流れを発生あるいは成長させるための空間を設ける必要がない。従って、エジェクタ１３とは別に気液分離手段を設ける場合に対して、気液分離空間３０ｆの容積を効果的に小さくすることができる。
【０１１９】
（第２実施形態）
本実施形態では、第１実施形態に対して、駆動手段３７の配置態様を図６に示すように変更した例を説明する。なお、図６は、第１実施形態の図２に対応する断面図であって、第１実施形態と同一もしくは均等部分には同一の符号を付している。
【０１２０】
具体的には、本実施形態の駆動手段３７は、補助プレート３６の内部に配置されている。この補助プレート３６は、その中心部に表裏を貫通する円柱状の貫通穴が設けられているとともに、この貫通穴の外周側に第１実施形態と同様の構成の駆動手段３７を収容した金属製の円板状部材で形成されている。
【０１２１】
補助プレート３６の貫通穴の中心軸はノズルボデー３２の中心軸と同軸上に配置されており、この貫通穴の内周側には、ノズルボデー３２の円筒状部が配置されている。また、補助プレート３６の外周側はハウジングボデー３１内に圧入やネジ止め等の手段によって固定されている。換言すると、補助プレート３６は、ノズルボデー３２の円筒状部の外周側の流入空間３０ｃ内に配置されている。
【０１２２】
このため、図６に示すように、補助プレート３６の上面側に配置されるダイヤフラム３７ａとノズルボデー３２の鍔部３２ａとを近接配置することができ、ダイヤフラム３７ａと鍔部３２ａとを短い連結部材（作動棒）を介して連結することができる。もちろん、連結部材を設けることなく、ダイヤフラム３７ａと鍔部３２ａとを直接連結してもよい。
【０１２３】
また、補助プレート３６には、中心部の貫通穴以外にも表裏を貫通する複数の貫通穴が設けられており、この貫通穴を介して円板状の補助プレート３６の表面（上面）側の空間と裏面（底面）側の空間が連通している。従って、封入空間３７ｂ内の感温媒体には、補助プレート３６の上面側および底面側の両面から、流入空間３０ｃへ流入した蒸発器１４流出冷媒の温度を効率的に伝達することができる。
【０１２４】
その他の構成および作動は、第１実施形態と同様である。従って、本実施形態のエジェクタ１３においても、駆動手段３７からノズルボデー３２へ駆動力を伝達する構成として、ディフューザ通路１３ｃを流通する冷媒の旋回流れを妨げない構成を極めて容易に実現でき、第１実施形態と同様の効果を得ることができる。
【０１２５】
さらに、本実施形態では、ミドルボデー３３の内部に駆動手段３７を配置していないので、ミドルボデー３３および通路形成部材３５の設計自由度を向上させることができる。例えば、ミドルボデー３３の内周側と通路形成部材３５の外周側との間に形成されるディフューザ通路１３ｃの広がり角度を増加させて、エジェクタ１３全体としての軸方向寸法を短縮化させることもできる。
【０１２６】
（他の実施形態）
本発明は上述の実施形態に限定されることなく、本発明の趣旨を逸脱しない範囲内で、以下のように種々変形可能である。
【０１２７】
（１）上述の実施形態では、ノズルボデー３２を変位させる駆動手段３７として、温度変化に伴って圧力変化する感温媒体が封入された封入空間３７ｂおよび封入空間３７ｂ内の感温媒体の圧力に応じて変位するダイヤフラム３７ａを有して構成されたものを採用した例を説明したが、駆動手段はこれに限定されない。
【０１２８】
例えば、感温媒体として温度によって体積変化するサーモワックスを採用してもよいし、駆動手段として形状記憶合金性の弾性部材を有して構成されたものを採用してもよいし、さらに、駆動手段として電動モータやソレノイド等の電気的機構によって通路形成部材３５を変位させるものを採用してもよい。
【０１２９】
さらに、上述の第１実施形態では、駆動手段３７をミドルボデー３３の内部に配置することによって通路形成部材３５の外周側に配置し、第２実施形態では、駆動手段３７を補助プレート３６の内部に配置することによってノズルボデー３２の外周側に配置した例を説明したが、駆動手段３７の配置はこれに限定されない。例えば、ボデー３０の外部の上方側（旋回空間３０ａ側）に配置してもよい。
【０１３０】
（２）上述の実施形態では、エジェクタ１３の液相冷媒流出口３１ｃおよび気相冷媒流出口３１ｄの詳細について説明していないが、これらの冷媒流出口に冷媒を減圧させる減圧手段（例えば、オリフィスやキャピラリチューブからなる側固定絞り）を配置してもよい。例えば、液相冷媒流出口３１ｃに固定絞りを追加して、エジェクタ１３を二段昇圧式の圧縮機を備えるエジェクタ式冷凍サイクルに適用してもよい。
【０１３１】
（３）上述の実施形態では、ノズルボデー３２の材質として金属を採用した例を説明したが、具体的には、アルミニウムを採用できる。さらに、ノズルボデー３２を樹脂で形成してもよい。例えば、ノズルボデー３２を樹脂で形成して軽量化を図ることによって、駆動手段３７を小型化することができ、エジェクタ１３全体としての体格のより一層の小型化を図ることができる。
【０１３２】
（４）上述の実施形態では、本発明のエジェクタ１３を備えるエジェクタ式冷凍サイクル１０を、車両用空調装置に適用した例を説明したが、本発明のエジェクタ１３を備える冷凍サイクル装置の適用はこれに限定されない。例えば、据置型空調装置、冷温保存庫、自動販売機用冷却加熱装置等に適用してもよい。
【０１３３】
（５）上述の実施形態では、エジェクタ１３のボデー３０の内部に気液分離空間３０ｆを構成した例を説明したが、この気液分離空間３０ｆを廃止してエジェクタ１３の外部にディフューザ通路１３ｃから流出した冷媒の気液を分離する気液分離器を配置してもよい。また、上述の実施形態では、旋回空間３０ａ内に効率的に過冷却液相冷媒を流入させるために、放熱器１２としてサブクール型の熱交換器を採用した例を説明したが、凝縮部１２ａのみからなる通常の放熱器を採用してもよい。
【０１３４】
（６）上述の実施形態では、作動棒３８がディフューザ通路１３ｃを横切ることなく配置されていることによって、ディフューザ通路１３ｃを流通する冷媒の速度を低下させない例を説明したが、エジェクタ式冷凍サイクル１０の運転条件によっては、図７の太実線に示すように、ディフューザ通路１３ｃを流通する冷媒の速度成分のうち、軸方向の速度成分に対して旋回方向の速度成分が極めて小さくなってしまうことや、旋回方向の速度成分が殆ど無くなってしまうことがある。
【０１３５】
なお、図７では、軸方向から見たときに、通路形成部材３５の円錐状側面に沿って流れる冷媒の流れ方向を模式的に図示しており、第１実施形態で説明した図４に対応する図面である。このような運転条件であっても、本発明に係るエジェクタ１３によれば、作動棒３８がディフューザ通路１３ｃを流通する冷媒の通路抵抗となってしまうことがないので、ディフューザ通路１３ｃにおける冷媒の昇圧量の低下を抑制できる。
【符号の説明】
【０１３６】
１０    エジェクタ式冷凍サイクル
１３    エジェクタ
１３ａ  ノズル通路
１３ｂ  吸引用通路
１３ｃ  ディフューザ通路
３０    ボデー
３２    ノズルボデー
３５    通路形成部材
３７    駆動手段
３８    作動棒
【図１】
2014134196.tif 000003
【図２】
2014134196.tif 000004
【図３】
2014134196.tif 000005
【図４】
2014134196.tif 000006
【図５】
2014134196.tif 000007
【図６】
2014134196.tif 000008
【図７】
2014134196.tif 000009